(57)【要約】【課題】特別可動入賞装置内を流下する遊技球の動きを変化に富んだものにすることが出来ると共に、遊技球の動きを変化させる部材の耐久性を確保することが出来る、新規な構造のパチンコ機を提供することを、目的とする。【解決手段】特別可動入賞装置３０内における入賞口から特定入球口に至る球経路上にあみだ状の球通路５０を形成すると共に、かかるあみだ状の球通路５０における障壁６６の少なくとも一つを退避可能な可動壁６６で構成した。【選択図】図２
2008253580.tif 000002
【特許請求の範囲】
【請求項１】
遊技球の始動入賞装置への入賞に基づいて入賞口が開放される特別可動入賞装置が設けられており、該特別可動入賞装置に入賞した遊技球が該特別可動入賞装置内に設けられた特定入球口に入球することによって、遊技者に有利な特別遊技状態が発生するパチンコ機であって、
前記特別可動入賞装置内において前記入賞口から前記特定入球口に至る球経路上には、一つの入口に対応する出口が一つ形成された誘導通路の複数が並列的に設けられていると共に、これら複数の誘導通路を途中で他の該誘導通路に連通せしめる連通路が設けられており、更に、複数の該誘導通路のそれぞれに対して、その途中で該遊技球を該連通路に導く障壁が設けられており、それによって、該特別可動入賞装置内にあみだ状の球通路が形成されていると共に、該あみだ状の球通路における該障壁の少なくとも一つが退避可能な可動壁によって構成されており、該可動壁が該誘導通路の壁面から該誘導通路内に突出した突出状態で、該誘導通路を流下する遊技球が該連通路を通って他の該誘導通路へ導かれるようにする一方、該可動壁が該誘導通路の壁面から該誘導通路内に突出していない引込状態で、該誘導通路を流下する遊技球が同じ該誘導通路を流下し続けるようにすることを特徴とするパチンコ機。
【請求項２】
前記可動壁において、前記誘導通路を流下する遊技球が前記連通路に導かれる際に接触する接触壁面が、該遊技球を該連通路側へと案内する傾斜面とされている請求項１に記載のパチンコ機。
【発明の詳細な説明】
【技術分野】
【０００１】
本発明は、遊技球の始動入賞装置への入賞に基づいて入賞口が開放される特別可動入賞装置に入賞した遊技球が、かかる特別可動入賞装置内に設けられた特定入球口に入球することによって、遊技者に有利な特別遊技状態が発生するパチンコ機に関するものである。
【背景技術】
【０００２】
従来から、パチンコ機においては、遊技球の動きに遊技者の興味を惹きつけて、遊技者を楽しませるための工夫が施されている。その一つとして、特許文献１に記載されているように、上流側の構成通路が下流側の一対の構成通路にそれぞれ接続されたあみだ路を遊技盤面上に設けることが提案されている。
【０００３】
ところで、パチンコ機には、様々な種類があり、その一つとして、始動入賞装置に遊技球が入賞すると、それまで閉鎖されていた特別可動入賞装置の入賞口が開放されて、特別可動入賞装置への遊技球の入賞が可能になり、かかる特別可動入賞装置に入賞した遊技球が特別可動入賞装置内に設けられた特定入球口に入球することによって、遊技者に有利な特別遊技状態が発生するパチンコ機が知られている。
【０００４】
この種のパチンコ機においては、特別可動入賞装置に入賞した遊技球が特定入球口に入球するか否かが遊技者の最大の関心事になることから、特別可動入賞装置内での遊技球の動きに遊技者の興味を惹きつける工夫を施す必要がある。
【０００５】
そこで、特許文献１に記載の如きあみだ路を特別可動入賞装置内に設けることが考えられる。しかしながら、特許文献１に記載の如きあみだ路においては、構成通路の分岐点に配される振分部材を、遊技球の転動面に対して直交する方向に延びる中心軸線回りに回転可能にすると共に、かかる振分部材に対して、遊技球が通過可能な球通路を形成する必要があることから、振分部材そのものが大型化する傾向にある。それ故、特別可動入賞装置内の限られた配設スペースでは、このような振分部材を多数配設することが難しくなってしまい、その結果、単調なあみだ路になって、興趣に欠けるという問題がある。
【０００６】
加えて、遊技球の転動面に対して直交する方向に延びる中心軸線回りに振分部材を回転させることから、振分部材を回転させるための駆動機構を転動面の裏側に設ける必要がある。それ故、駆動機構の配設スペースを考慮して振分部材の配設位置を決めなければならなくなり、特別可動入賞装置内に多数の振分部材を配設することが一層難しくなる。
【０００７】
なお、特許文献１には、上述の如き球通路が形成された振分部材ではなく、下流側の一対の構成通路の一方を閉じた状態にすることにより、他方を開いた状態にする弁体の如き振分部材を採用しても良いことが記載されている。
【０００８】
しかしながら、このような弁体の如き振分部材は、振分部材そのものの配設スペースは小さく出来るが、遊技球の転動面に対して直交する方向に延びる中心軸回りに振分部材を回動させる必要があることから、駆動機構を配設するために必要なスペースが、振分部材として球通路が形成されたものを採用する場合と殆ど同じ大きさになる。それ故、振分部材を特別可動入賞装置内の限られた配設スペースに多数配設することが困難であることに変わりはない。
【０００９】
また、特許文献１に記載されている、球通路が形成された振分部材や弁体の如き振分部材では、遊技球の転動方向を変更する際に、遊技球が必ず振分部材に衝突するようになっていることから、振分部材の耐久性を確保することが難しいという問題もあった。
【００１０】
【特許文献１】特開平８−６６５２６号公報
【発明の開示】
【発明が解決しようとする課題】
【００１１】
ここにおいて、本発明は、上述の如き事情を背景として為されたものであって、その解決課題とするところは、特別可動入賞装置内を流下する遊技球の動きを変化に富んだものにすることが出来ると共に、遊技球の動きを変化させる部材の耐久性を確保することが出来る、新規な構造のパチンコ機を提供することにある。
【課題を解決するための手段】
【００１２】
以下、このような課題を解決するために為された本発明の態様を記載する。なお、以下に記載の各態様において採用される構成要素は、可能な限り任意の組み合わせで採用可能である。
【００１３】
本発明は、遊技球の始動入賞装置への入賞に基づいて入賞口が開放される特別可動入賞装置が設けられており、特別可動入賞装置に入賞した遊技球が特別可動入賞装置内に設けられた特定入球口に入球することによって、遊技者に有利な特別遊技状態が発生するパチンコ機であって、特別可動入賞装置内において入賞口から特定入球口に至る球経路上には、一つの入口に対応する出口が一つ形成された誘導通路の複数が並列的に設けられていると共に、これら複数の誘導通路を途中で他の誘導通路に連通せしめる連通路が設けられており、更に、複数の誘導通路のそれぞれに対して、その途中で遊技球を連通路に導く障壁が設けられており、それによって、特別可動入賞装置内にあみだ状の球通路が形成されていることを、特徴とする。また、本発明においては、あみだ状の球通路における障壁の少なくとも一つが退避可能な可動壁によって構成されており、可動壁が誘導通路の壁面から誘導通路内に突出した突出状態で、誘導通路を流下する遊技球が連通路を通って他の誘導通路へ導かれるようにする一方、可動壁が誘導通路の壁面から誘導通路内に突出していない引込状態で、誘導通路を流下する遊技球が同じ誘導通路を流下し続けるようにすることも、特徴とする。
【００１４】
このような本発明に従う構造とされたパチンコ機においては、特別可動入賞装置内にあみだ状の球通路が形成されており、しかも、かかるあみだ状の球通路における障壁の少なくとも一つが退避可能な可動壁で構成されていることから、可動壁の状態を変化させることにより、あみだ状の球通路において遊技球が通過するルートを変更することが可能となる。
【００１５】
そこにおいて、本発明では、可動壁が突出状態と引込状態とを択一的にとるようになっていることから、可動壁の駆動機構として、回転運動を直線運動に変換する機構を備えたものだけでなく、直線的な往復動を行うものを採用することが可能となる。具体的には、カム機構を備えた駆動機構を採用することが可能になるだけでなく、ソレノイドを採用することが可能となるのである。これにより、電動モータやかかる電動モータの回転駆動力を伝達するための減速歯車列等の比較的大きな配設スペースが必要な駆動機構を可動壁の直ぐ近くに配設する必要がなくなる。
【００１６】
従って、本発明のパチンコ機においては、特別可動入賞装置内の限られた配設スペースにおいても、多くの可動壁を配設することが可能となる。これにより、あみだ状の球通路において遊技球が通過するルートのバリエーションを増やすことが可能となる。その結果、特別可動入賞装置内を流下する遊技球の動きを変化に富んだものにすることが可能となる。
【００１７】
また、本発明では、可動壁が突出状態の場合に、誘導通路を流下する遊技球が連通路を通って他の誘導通路へ導かれるようになっている一方、可動壁が引込状態の場合に、誘導通路を流下する遊技球が同じ誘導通路を流下し続けるようになっていることから、可動壁が引込状態の場合であっても、誘導通路を流下する遊技球を振り分けることが出来るようになっている。
【００１８】
加えて、複数の誘導通路の何れかの入口から遊技球があみだ状の球通路内に入ってくるようになっていることから、遊技球が特定の可動壁に必ず衝突することを有利に回避することが可能となる。
【００１９】
従って、本発明のパチンコ機においては、可動壁の耐久性を有利に確保することが可能となる。
【００２０】
また、本発明においては、可動壁において、誘導通路を流下する遊技球が連通路に導かれる際に接触する接触壁面が、遊技球を連通路側へと案内する傾斜面とされていることが望ましい。これにより、誘導通路を流下する遊技球を連通路へ導くことが有利に実現され得ることとなる。
【発明を実施するための最良の形態】
【００２１】
以下、本発明を更に具体的に明らかにするために、本発明の実施形態について、図面を参照しつつ、詳細に説明する。
【００２２】
図１には、本発明の一実施形態としてのパチンコ機１０が示されている。このパチンコ機１０において機体の外郭を為す外枠１２の開口前面側には、縦長方形の中枠１４が開閉及び着脱自在に組み付けられている。また、中枠１４には、後述する遊技領域２８が形成された遊技盤１６が着脱自在に組み付けられており、かかる遊技盤１６に形成された遊技領域２８は、中枠１４に対して開閉可能に組み付けられた前枠１８によって保持されている透明板を通して遊技者に視認されるようになっている。そして、中枠１４に突設された操作ハンドル２０に対して回動可能に装着された操作レバー２２を遊技者が回動操作することにより、中枠１４に設けられた発射球貯留皿２４に貯留されている遊技球が、図示しない球送り機構を介して発射装置（図示せず）に送られた後、遊技領域２８に向けて発射されるようになっている。
【００２３】
続いて、中枠１４に組み付けられている遊技盤１６について説明する。この遊技盤１６は、表面に合成樹脂製のシートが被着された遊技板を備えており、かかる遊技板の表面側には、レールセット２６が固着されている。これにより、遊技盤１６には、レールセット２６によって囲まれた略円形の遊技領域２８が形成されている。
【００２４】
かかる遊技領域２８の略中央には、特別可動入賞装置としてのセンター役物３０が設けられている。このセンター役物３０は、図２乃至図４に示されているように、前方に開口する凹室３２を備えており、かかる凹室３２の開口端から外方に向かって突出する取付板３４によって、遊技板（遊技盤１６）に取り付けられるようになっている。
【００２５】
そこにおいて、センター役物３０には、凹室３２の上方において、閉鎖部材としての一対の羽根部材３６，３６が、それぞれ、一軸回りに傾動可能な状態で配されている。そして、一対の羽根部材３６，３６が起立せしめられた状態では、凹室３２の上方に設けられた入賞口３８が羽根部材３６，３６によって実質的に閉鎖されて、遊技球の入賞口３８への入賞が出来ないようにされている一方、一対の羽根部材３６，３６が傾動せしめられた状態では、入賞口３８が実質的に開放されて、遊技球の入賞口３８への入賞が許容されている。
【００２６】
なお、本実施形態では、遊技領域２８に設けられた始動入賞装置４０に遊技球が入賞することにより、一対の羽根部材３６，３６が所定の作動パターンに基づいて傾動せしめられるようになっている。
【００２７】
また、入賞口３８に入賞した遊技球は、従来から公知の近接スイッチによって構成されたカウントスイッチ４２，４３によって検出された後、凹室３２内に入ってくるようになっている。そして、凹室３２内に入ってきた遊技球は、凹室３２の上下方向の略中央に設けられて、凹室３２の手前側から奥側に向かって下る転動面を有する上側ステージ４４に落下して、かかる上側ステージ４４上を転動した後、凹室３２の底面に形成された下側ステージ４６に落下するようになっている。
【００２８】
そこにおいて、本実施形態では、上側ステージ４４から下側ステージ４６に落下する遊技球は、上側ステージ４４からの落下位置によっては、下側ステージ４６に直接落下することなく、一対の振分ステージ４８，４９の何れか一方に落下し、振分ステージ４８，４９上を転動してから、下側ステージ４６に落下することがある。
【００２９】
かかる一対の振分ステージ４８，４９は、凹室３２の幅方向（図２中の左右方向）に適当な間隔をあけた状態で、凹室３２の奥壁から前方に向かって突出するように設けられており、特に本実施形態では、各振分ステージ４８，４９は、遊技球が転動する転動面としての上面が、棟の境にして両方に流れをもつ切妻屋根の如き形状とされている。
【００３０】
そして、振分ステージ４８，４９に落下した遊技球は、振分ステージ４８，４９における転動面のうち棟よりも他の振分ステージ４９，４８側の位置する部分を転動する場合には、一対の振分ステージ４８，４９の間から下側ステージ４６に落下するようになっている一方、振分ステージ４８，４９における転動面のうち棟よりも凹室３２の側壁側（他の振分ステージ４９，４８とは反対の側）に位置する部分を転動する場合には、振分ステージ４８，４９と凹室３２の側壁面との間から下側ステージ４６に落下するようになっている。
【００３１】
そこにおいて、本実施形態では、一対の振分ステージ４８，４９の間から下側ステージ４６に落下してきた遊技球は、下側ステージ４６に形成されたあみだ状の球通路５０を通って凹室３２の奥側から手前側に向かって転がるようになっている。
【００３２】
このあみだ状の球通路５０は、複数（本実施形態では、三つ）の誘導通路としてのガイド溝５２，５３，５４を含んで構成されている。これら三つのガイド溝５２，５３，５４は、それぞれ、凹室３２の奥行方向にストレートに延びることによって、一つの入口７２，７３，７４に対して出口７５，７６，７７が一つ形成されており、その底面は凹室３２の奥側から手前側へと緩やかに傾斜する傾斜面とされている。また、本実施形態では、隣り合う二つのガイド溝（左端のガイド溝５２と真中のガイド溝５３，真中のガイド溝５３と右端のガイド溝５４）が、共通の側壁５７，５８を有するようにして、三つのガイド溝５２，５３，５４が並んでいる。
【００３３】
なお、本実施形態では、三つのガイド溝５２，５３，５４のうち左端に位置するガイド溝５２における外側の側壁５６と、右端に位置するガイド溝５４における外側の側壁５９は、それぞれ、他の側壁５７，５８、即ち、右端のガイド溝５２と真中のガイド溝５３に共通の側壁５７や左端のガイド溝５４と真中のガイド溝５３に共通の側壁５８よりも高さ寸法が低くされている。
【００３４】
また、三つのガイド溝５２，５３，５４のうち隣り合う二つのガイド溝（左端のガイド溝５２と真中のガイド溝５３，真中のガイド溝５３と右端のガイド溝５４）に共通の側壁５７，５８、即ち、真中のガイド溝５３の両側壁５７，５８には、それぞれ、通路方向（溝が延びる方向）の適当な位置において、連通路としての切欠６０，６１，６２が形成されている。
【００３５】
そこにおいて、切欠６０，６１，６２は、ガイド溝５２，５３，５４の溝幅方向の投影において、互いに重ならない位置に形成されており、特に本実施形態では、真中のガイド溝５３と左端のガイド溝５２に共通の側壁５７に二つ形成されている一方、真中のガイド溝５３と右端のガイド溝５４に共通の側壁５８に一つ形成されており、溝幅方向の投影において、真中のガイド溝５３と左端のガイド溝５２に共通の側壁５７に形成された二つの切欠６０，６１の間に、真中のガイド溝５３と右端のガイド溝５４に共通の側壁５８に形成された一つの切欠６２が位置せしめられるようになっている。
【００３６】
また、本実施形態では、各ガイド溝５２，５３，５４の底壁には、切欠６０，６１，６２の下流端付近において、挿通孔６４が形成されており、かかる挿通孔６４には、障壁としての突出壁６６が挿通配置されている。
【００３７】
突出壁６６は、略一定の断面形状でストレートに延びる、厚肉の板形状を呈している。そこにおいて、本実施形態では、各突出壁６６において、ガイド溝５２，５３，５４の上流側の面６７は、切欠６０，６１，６２寄りの部分が切欠６０，６１，６２から離れた部分よりもガイド溝５２，５３，５４の下流側に位置する傾斜面とされている。換言すれば、各突出壁６６において、ガイド溝５２，５３，５４の上流側の面６７は、切欠６０，６１，６２側に向かって下降傾斜されているのである。
【００３８】
このような突出壁６６は、挿通孔６４に対して凹室３２の底壁の裏側から挿通配置されており、かかる状態で、その下端部分が、センター役物３０に対して適当な取付部材（図示せず）を介して取り付けられたソレノイド６８のプランジャ７０に連結されている。
【００３９】
そして、プランジャ７０が突出している状態では、突出壁６６が底面からガイド溝５２，５３，５４内に突出している一方、プランジャ７０が引っ込んでいる状態では、突出壁６６の突出端面が底面と同じ高さに位置せしめられて、突出壁６６が底面からガイド溝５２，５３，５４内に突出しないようになっている。なお、このことから明らかなように、本実施形態では、各突出壁６６によって、可動壁が構成されている。
【００４０】
このようなあみだ状の球通路５０においては、三つのガイド溝５２，５３，５４の何れかの入口７２，７３，７４から遊技球が入ってくるようになっている。そして、遊技球は、ガイド溝５２，５３，５４を凹室３２の奥側から手前側へ転がってくる際に、ガイド溝５２，５３，５４の底面から突出した突出壁６６に当たると、突出壁６６における接触壁面としての上流側の面６７によって切欠６０，６１，６２のほうへ案内されて、切欠６０，６１，６２を通って隣のガイド溝５２，５３，５４に入るようになっている。
【００４１】
具体的には、左端のガイド溝５２を転がっている遊技球は、切欠６０，６１の下流端付近においてガイド溝５２内に突出する突出壁６６，６６によって、真中のガイド溝５３に導かれるようになっている。また、真中のガイド溝５３を転がっている遊技球は、切欠６０，６１の下流端付近においてガイド溝５３内に突出する突出壁６６，６６によって、左端のガイド溝５２に導かれるようになっている一方、切欠６２の下流端付近においてガイド溝５３内に突出する突出壁６６によって、右端のガイド溝５４に導かれるようになっている。更にまた、右端のガイド溝５４を転がっている遊技球は、切欠６２の下流端付近においてガイド溝５４内に突出する突出壁６６によって、真中のガイド溝５３に導かれるようになっている。
【００４２】
一方、ガイド溝５２，５３，５４の底面から突出壁６６が突出していない場合には、遊技球は同じガイド溝５２，５３，５４内をそのまま転がり続けるようになっている。
【００４３】
そこにおいて、突出壁６６の作動は、ソレノイド６８への通電のＯＮ／ＯＦＦによって制御されるようになっているが、かかるソレノイド６８への通電のＯＮ／ＯＦＦは、パチンコ機１０の作動を制御する主制御回路（図示せず）によって行われるようになっている。特に本実施形態では、ソレノイド６８への通電のＯＮ／ＯＦＦは、パチンコ機１０への電源の供給の開始から終了まで、予め定められた突出作動パターンに基づいて、連続的に繰り返し行われるようになっている。
【００４４】
そして、上述の如く、あみだ状の球通路５０を転がってきた遊技球は、真中のガイド溝５３の出口７６から出てきた場合に、特定入球口としてのＶ入賞口７８に入るようになっている。これにより、所定の開閉作動パターンに基づいて、一対の羽根部材３６，３６が作動せしめられることにより、センター役物３０への遊技球の入賞が可能となって、通常の遊技状態よりも多くの賞球を得ることが出来る大当たり遊技状態が発生する。一方、左端のガイド溝５２の出口７５や右端のガイド溝５４の出口７７から出てきた遊技球は、Ｖ入賞口７８に入らずに、排出口８０を通って遊技盤１６の裏側に排出されるようになっている。このことから明らかなように、あみだ状の球通路５０は、入賞口３８からセンター役物３０内に入ってきた遊技球がＶ入賞口７８に至る球経路上にある。
【００４５】
なお、本実施形態では、一方の振分ステージ４８における転動面のうち棟よりも凹室３２の側壁側（他の振分ステージ４９とは反対の側）に位置する部分を転動した後、振分ステージ４８と凹室３２の側壁面との間から下側ステージ４６に落下する遊技球は、その落下位置によっては、凹室３２の一方の側面から突出した状態で一軸回りに回転可能に設けられた回転体８２に当たることがある。そして、かかる回転体８２に設けられた板ばね８４に当たった遊技球は、左端のガイド溝５２における外側の側壁５６を飛び越えて、何れかのガイド溝５２，５３，５４に入ってくることがある。
【００４６】
また、本実施形態では、他方の振分ステージ４９における転動面のうち棟よりも凹室３２の側壁側（一方の振分ステージ４８とは反対の側）に位置する部分を転動する遊技球は、他方の振分ステージ４９と下側ステージ４６を接続するスロープ８６を通って下側ステージ４６に導かれることがある。そして、スロープ８６の出口付近において下側ステージ４６の転動面から突出可能に配された突出体８８に当たった遊技球は、右端のガイド溝５４における外側の側壁５９を飛び越えて、何れかのガイド溝５２，５３，５４に入ってくることがある。
【００４７】
このような構造とされたパチンコ機１０においては、センター役物３０に入賞した遊技球は、下側ステージ４６に形成されたあみだ状の球通路５０を通る際において、その転動方向が突出壁６６によって変化せしめられるようになっていることから、遊技球の動きに遊技者の興味を惹きつけて遊技者を楽しませることが可能となる。
【００４８】
そこにおいて、本実施形態の突出壁６６は、ガイド溝５２，５３，５４の底面から突出した状態と突出していない状態とをとり得るようになっていることから、突出壁６６の大きさを遊技球の転動方向を変更するために最低限必要な大きさにすることが可能となる。
【００４９】
また、本実施形態では、突出壁６６の駆動機構としてソレノイド６８が採用されていることから、駆動機構を配設するために必要なスペースを小さくすることが可能となる。
【００５０】
従って、本実施形態のパチンコ機１０においては、あみだ状の球通路５０に配設される突出壁６６の数を多くすることが可能となる。これにより、あみだ状の球通路５０における遊技球の転動ルートの数を増やすことが可能となる。その結果、センター役物３０内での遊技球の動きを変化に富んだものにすることが可能となる。
【００５１】
また、突出壁６６がガイド溝５２，５３，５４の底面から突出していない状態では、遊技球が同じガイド溝５２，５３，５４内を転がり続けるようになっていることから、遊技球が突出壁６６に対して必ず衝突することがない。
【００５２】
加えて、あみだ状の球通路５０の入口７２，７３，７４が複数設けられていることから、遊技球が特定の突出壁６６に必ず衝突することが有利に回避され得る。
【００５３】
従って、本実施形態のパチンコ機１０においては、突出壁６６の耐久性を高めることが可能となる。
【００５４】
また、本実施形態では、突出壁６６における上流側の面６７が、ガイド溝５２，５３，５４を転がってくる遊技球を切欠６０，６１，６２のほうへと案内する傾斜面とされていることから、ガイド溝５２，５３，５４を転がってくる遊技球を切欠６０，６１，６２のほうへ誘導することが有利に実現され得ることとなる。
【００５５】
さらに、本実施形態では、切欠６０，６１，６２が形成された側壁５７，５８を挟んで両側に位置するガイド溝５２，５３，５４の底面のそれぞれにおいて、突出壁６６が突出可能に配されていることから、二つのガイド溝（左端のガイド溝５２と真中のガイド溝５３，真中のガイド溝５３と右端のガイド溝５４）の一方から他方への遊技球の移動と他方から一方への遊技球の移動の両方が許容され得ることとなる。その結果、あみだ状の球通路５０における遊技球の転動ルートのバリエーションを容易に増やすことが可能となる。
【００５６】
更にまた、本実施形態では、一対の振分ステージ４８，４９の間から下側ステージ４６に落下しなかった遊技球にあみだ状の球通路５０を転動する可能性が残っていることから、遊技球の動きに遊技者の興味を惹きつけることが有利に実現され得る。
【００５７】
以上、本発明の一実施形態について詳述してきたが、これはあくまでも例示であって、本発明は、かかる実施形態における具体的な記載によって、何等、限定的に解釈されるものではない。
【００５８】
例えば、凹室３２の底壁の裏側を凹室３２の幅方向に延びる支軸をその中心軸線回りに回転せしめた際に、該支軸に設けられたカム突起が突出壁６６を押し上げることにより、突出壁６６がガイド溝５２，５３，５４の底面から突出するようにしても良い。
【００５９】
また、可動壁の複数を一つの駆動機構によって同時に駆動するようにしても良い。更に、可動壁は、誘導通路の側面や天井面から誘導通路内に突出するようにしても良い。
【００６０】
更にまた、連通路を連通状態と遮断状態に切り換える可動弁体を設けるようにしても良い。
【００６１】
また、前記実施形態において、突出状態に固定された壁を設けるようにしても良い。更に、前記実施形態において、ガイド溝５２，５３，５４の底面は湾曲していても良い。
【００６２】
更にまた、誘導通路は、筒状外周面や筒状内周面をその軸方向に真っ直ぐ延びるように形成されていても良いし、筒状外周面や筒状内周面に沿ってらせん状に延びるように形成されていても良い。
【００６３】
また、前記実施形態において、ガイド溝５２，５３，５４は、直線的に延びている必要はなく、例えば、蛇行していても良い。更に、前記実施形態において、ガイド溝５２，５３，５４を覆蓋する透明なカバーを設けるようにしても良い。
【００６４】
更にまた、誘導通路や連通路は、パイプ状に形成されていても良い。その際、誘導通路や連通路の周壁は透明な材料で形成されていることが望ましい。これにより、遊技球が流下している様子を外部から視認することが容易に可能となる。
【００６５】
また、前記実施形態において、閉鎖部材は、一対の羽根部材３６，３６で構成されている必要はなく、例えば、前方に向かって傾動することにより、遊技球の入賞を許容する扉状部材によって構成するようにしても良い。
【００６６】
更にまた、前記実施形態において、上側ステージ４４や回転体８２，一対の振分ステージ４８，４９，スロープ８６，突出体８８は、必ずしも必要ではない。また、前記実施形態において、一つの切欠６０，６１，６２の近くに突出壁６６を一つだけ突出可能に配するようにしても良い。
【００６７】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００６８】
【図１】本発明の一実施形態としてのパチンコ機を示す正面図。
【図２】同パチンコ機で採用されているセンター役物の正面図。
【図３】図２におけるＩＩＩ−ＩＩＩ方向の断面図であって、その要部を示す断面図。
【図４】図２におけるＩＶ−ＩＶ方向の断面図であって、その要部を示す断面図。
【符号の説明】
【００６９】
１０：パチンコ機，３０：センター役物，３８：入賞口，４０：始動入賞装置，５０：あみだ状の球通路，５２，ガイド溝，５３：ガイド溝，５４：ガイド溝，６０：切欠，６１：切欠，６２：切欠，６６：突出壁，７２：入口，７３：入口，７４：入口，７５：出口，７６：出口，７７：出口，７８：Ｖ入賞口
【図１】
2008253580.tif 000003
【図２】
2008253580.tif 000004
【図３】
2008253580.tif 000005
【図４】
2008253580.tif 000006